(57)【要約】【課題】ユーザの所望する切り換え要因に応じて音量制御が可能な車載用機器の音量制御装置を提供する。【解決手段】タイマ機能により番組を予約する番組予約機能を備え、かつ操作手段１０により番組予約や各種の設定が可能な制御手段４と、制御手段４により音量調節される音量調節手段６とを有し、操作手段１０による入力ソースの切り換え時には、無音状態に制御した後、予めユーザが設定した音量で音声が出力されるように音量調節手段６を制御すると共に、番組予約や、各種割り込みによる入力ソースの切り換え時には、無音状態に制御した後、予めユーザが設定した音量になるまで除々に音量が上昇するよう音量調節手段６を制御したことから、番組予約や各種割り込みにより入力ソースが切り換っても、大音量の音がスピーカ７より出力されることがない。【選択図】  図１
2004289611.tif 000002
【特許請求の範囲】
【請求項１】
タイマ機能による番組予約と、操作手段及び各種割り込みにより入力ソースの切り換えが可能な車載用機器の音量制御装置であって、タイマ機能により番組を予約する番組予約機能を備え、かつ前記操作手段により番組予約や各種の設定が可能な制御手段と、前記制御手段により音量調節される音量調節手段とを有し、前記操作手段による入力ソースの切り換え時には、無音状態に前記音量調節手段を制御した後、予めユーザが設定した音量で音声が出力されるように前記音量調節手段を制御すると共に、番組予約や、各種割り込みによる入力ソースの切り換え時には、無音状態に前記音量調節手段を制御した後、予めユーザが設定した音量になるまで除々に音量が上昇するよう前記音量調節手段を制御することを特徴とする車載用機器の音量制御装置。
【請求項２】
切り換え内容を前記操作手段によるものと、番組予約や各種割り込みによるものとに区分けして記憶手段に記憶し、かつ前記音量調節手段を無音状態にした後、前記憶手段より記憶した内容を読み込んで、切り換え内容が前記操作手段によるものである場合は前記音量調節手段の無音状態を解除すると共に、切り換え内容が番組予約や各種割り込みによるものである場合は、予めユーザが設定した音量になるまで除々に音量が上昇するよう前記音量調節手段を制御してなる請求項１に記載の車載用機器の音量制御装置。
【発明の詳細な説明】
【０００１】
【発明の属する技術分野】
本発明は番組予約機能を有するラジオやテレビジョン（以下単にテレビという）等の車載用機器の音量制御装置に関する。
【０００２】
【従来の技術】
従来この種の車載用機器には、予め日時や受信したいチャンネルを予約する番組予約機能を有するものがある。
【０００３】
前記番組予約機能を利用して、ユーザが受信したい日時や番組を予め予約しておくと、その日時になると警報音が発生して車載用機器の表示手段に番組予約に関する情報が画面表示される。
【０００４】
その後ユーザが操作パネルやリモートコントローラ等の操作手段を操作すると、予約した番組に切り換ってラジオやテレビの受信が可能となり、受信時の音量は、受信に切り換る前に一時無音となり、切り換え後にこれを解除して、予め設定された音量となるように制御している（  例えば特許文献１）。
【０００５】
【特許文献１】
特開平３−１７２７号公報（  課題を解決するための手段の欄、作用の欄）
【０００６】
またテレビを起動すると、はじめは無音量となり、その後徐々に音量が上昇しながら、予め設定された音量になるように音量が制御されるテレビも公知である。
【０００７】
【発明が解決しようとする課題】
前記従来の車載機器の音量制御装置のように、予約情報画面が表示された後、ユーザが操作手段により番組を手動で切り換える方法では、自動車が走行中の場合、運転操作をしながら操作手段を操作しなければならないため、操作が煩雑である上、安全運転が損なわれる等の問題がある。
【０００８】
また操作手段による人為的な操作を省略してしまうと、ユーザが予約番組に切り換るのを認識する前に予約番組に切り換ることになり、予約番組が開始される前に大音量に音量が設定されていた場合、不用意に大音量で予約番組が開始されるため、ユーザに不快感を与える等の問題がある。
【０００９】
一方起動時は無音量で、その後徐々に音量が上昇するように音量が制御されるテレビは、ユーザが意識して音量を調整したい場合、操作が煩わしい等の問題がある。
【００１０】
本発明はかかる従来の問題点を改善するためになされたもので、ユーザの所望する切り換え要因に応じて音量制御が可能な車載用機器の音量制御装置を提供することを目的とするものである。
【００１１】
【課題を解決するための手段】
前記目的を達成するため本発明の車載用機器の音量制御装置は、タイマ機能による番組予約と、操作手段及び各種割り込みにより入力ソースの切り換えが可能な車載用機器の音量制御装置であって、タイマ機能により番組を予約する番組予約機能を備え、かつ操作手段により番組予約や各種の設定が可能な制御手段と、制御手段により音量調節される音量調節手段とを有し、操作手段による入力ソースの切り換え時には、無音状態に音量調節手段を制御した後、予めユーザが設定した音量で音声が出力されるように音量調節手段を制御すると共に、番組予約や、各種割り込みによる入力ソースの切り換え時には、無音状態に音量調節手段を制御した後、予めユーザが設定した音量になるまで除々に音量が上昇するよう音量調節手段を制御したものである。
【００１２】
前記構成により、番組予約や各種割り込みにより入力ソースが切り換っても、大音量の音がスピーカより出力されることがないため、ユーザの不快感を軽減できる上、ユーザは何等操作を必要としないため、自動車の運転中に予約番組に切り換っても、安全運転に支障をきたすことがない。
【００１３】
前記目的を達成するため本発明の車載用機器の音量制御装置は、切り換え内容を操作手段によるものと、番組予約や各種割り込みによるものとに区分けして記憶手段に記憶し、かつ音量調節手段を無音状態にした後、記憶手段より記憶した内容を読み込んで、切り換え内容が操作手段によるものである場合は音量調節手段の無音状態を解除すると共に、切り換え内容が番組予約や各種割り込みによるものである場合は、予めユーザが設定した音量になるまで除々に音量が上昇するよう音量調節手段を制御したものである。
【００１４】
前記構成により、入力ソースの切り換え時に予めユーザが所望する切り換え内容が記憶手段に記憶されるため、入力ソースの切り換え中に自動車の電源を切った場合でも、次に自動車を起動した際、記憶手段に記憶され内容により切り換えが実行できるようになる。
【００１５】
【発明の実施の形態】
本発明の実施の形態を、図面を参照して詳述する。
【００１６】
図１はラジオやテレビが受信可能な車載用機器のブロック図、図２は作用を示すフローチャートである。
【００１７】
図１に示す車載用機器は、ラジオ及びテレビを受信するチューナ１を有していて、このチューナ１には自動車のルーフ（  図示せず）  等に取り付けられたアンテナ２に接続されており、ラジオ及びテレビの切り換え制御手段４により行われるようになっている。
【００１８】
チューナ１により受信されたラジオやテレビの音声信号及びＣＤや、ＤＶＤ等のオーディオ、映像メディアを再生するＣＤ／ＤＶＤユニット３からの音声信号（入力ソース）は、制御手段４により切り換え制御される音声切り換え手段５を経て音量調節手段６へ送られ、テレビの映像やＣＤ／ＤＶＤユニット３で再生された映像は、制御手段４に接続された例えば液晶モニタよりなる表示手段８へ送られて、表示手段８に表示されるようになっている。
【００１９】
音量調節手段６は、例えば電子ボリューム等より形成されていて、制御手段４により音量が制御されるようになっており、音量調節手段６により音量が調節された音声信号は、車室内に設置されたスピーカ７へ出力されるようになっている。
【００２０】
また制御手段４にはタイマ９が内装されていて、操作パネルやリモートコントローラ等の操作手段１０よりラジオやテレビの番組予約ができるようになっており、予約した内容は、例えばＲＡＭよりなる記憶手段１１に記憶されるようになっている。
【００２１】
次に前記構成された車載用機器の作用を、図２に示すフローチャートを参照して説明する。
【００２２】
車載用機器によりユーザがテレビ番組を視聴する場合、ユーザが操作手段１０を操作して起動する方法と、予め予約したテレビ番組が、予約時間となったために自動的に起動される方法とがあるため、制御手段４は図２に示すフローチャートのステップＳ１で、まずテレビへの切り換え信号が検出されたかを判定し、切り換え信号が検出された場合はステップＳ２へ進んで、検出信号が操作手段１０からの切り換え信号なのか、タイマ９からの切り換え信号なのか等のユーザの要望する切り換え要因に応じてその内容を符号化する。
【００２３】
例えば操作手段１０からの切り換えの場合は「０」に、またタイマ９からの切り換えの場合は「１」に符号化して、その内容を記憶手段１１に記憶する。
【００２４】
その後ステップＳ３で、音量調節手段５を無音量（ＭＵＴＥ）に設定したら、ステップＳ４へ進んで、チューナ１をテレビ受信に切り換え、かつ音色切り換えをテレビ音声に切り換える。
【００２５】
そしてステップＳ５で、予めステップＳ２で記憶した内容を記憶手段１１より読み込んだ後、ステップＳ６へ進んで符号化された内容から、操作手段１０からのテレビ切り換えか、またはタイマ９からの番組予約かを判定し、符号が「０」であれば操作手段１０からのテレビ切り換えと判定して、ステップＳ７で音量調節手段６の無音量状態を解除する。
【００２６】
これによってチューナ１により受信されたテレビの音声は、予め音量調節手段６で設定された音量でスピーカ７より車室内へ放出され、映像は表示手段８にテレビ画像として表示されるため、テレビの視聴が行えるようになる。
【００２７】
一方ステップＳ６で符号が「１」であれば、番組予約からの切り換えと判定して、ステップＳ８で音量が例えば１ｄＢ上昇するように音量調節手段６を自動的に制御する。
【００２８】
その後ステップＳ９へ進んで、例えば２５０ｍｓ経過するまで待機したら、ステップＳ１０へ進んで予め設定されている元の音量に達したかを判定し、達していなければステップＳ８へ戻って元の音量に達するまで前記フローを繰り返す。
【００２９】
そして元の音量に達したところフローを終了するもので、予約番組に切り換えられる場合は、何等人為的な操作をしなくとも自動的に音量が例えば１秒間に４ｄＢづつ上昇し、最終的に予め設定されていた元の音量に達するため、予約時間がきて、予約番組になっても、大音量でテレビに切り換ることがないため、ユーザの不快感を軽減できる上、ユーザは何等操作を必要としないため、自動車の運転中に予約番組に切り換っても、安全運転に支障をきたすことがない。
【００３０】
一方車載用機器の切り換えには、操作手段１０による切り換えと番組予約による切り換えの他に、ＡＬＡＲＭ割り込み、ＰＴＹ割り込み、ＴＡ割り込み等があり、これら割り込みも、ユーザが意図していない状態で入力ソースをラジオへ切り換えてしまう点で、前記番組予約による入力ソースの切り換えと一致している。
【００３１】
図３に示すフローチャートは、ＡＬＡＲＭやＰＴＹ、ＴＡ割り込みにより入力ソースをラジオに切り換える場合の作用を示すもので、次にこのフローチャートを説明すると、制御手段４は図３に示すフローチャートのステップＳ１１で、まずラジオへの切り換え信号が検出されたかを判定し、切り換え信号が検出された場合はステップＳ１２へ進んで、検出信号が操作手段１０からの切り換え信号なのか、タイマ９からの切り換え信号なのか等のユーザの要望する切り換え要因に応じてその内容を符号化する。
【００３２】
例えば操作手段１０からの切り換えの場合は「０」に、またＡＬＡＲＭやＰＴＹ、ＴＡ割り込み、番組予約による切り換えの場合は「１」に符号化して、その内容を記憶手段１１に記憶する。
【００３３】
その後ステップＳ１３で、音量調節手段５を無音量（ＭＵＴＥ）に設定したら、ステップＳ１４へ進んで、チューナ１をラジオ受信に切り換える。
【００３４】
そしてステップＳ１５で、予めステップＳ１２で記憶した内容を記憶手段１１より読み込んだ後、ステップＳ１６へ進んで符号化された内容から、操作手段１０からのラジオ切り換えか、またはＡＬＡＲＭやＰＴＹ、ＴＡ割り込み、番組予約からの切り換えかを判定し、符号が「０」であれば操作手段１０からのラジオ切り換えと判定して、ステップＳ１７で音量調節手段６の無音量状態を解除する。
【００３５】
これによってチューナ１により受信されたラジオの音声は、予め音量調節手段６で設定された音量でスピーカ７より車室内へ放出されるため、ラジオの聴取が行えるようになる。
【００３６】
一方ステップＳ１６で符号が「１」であれば、ＡＬＡＲＭやＰＴＹ、ＴＡ割り込み、番組予約からの切り換えと判定して、ステップＳ１８で音量が例えば４ｄＢ上昇するように音量調節手段６を制御する。
【００３７】
その後ステップＳ１９へ進んで、例えば２５０ｍｓ経過するまで待機したら、ステップＳ２０へ進んで予め設定されている元の音量に達したかを判定し、達していなければステップＳ１８へ戻って元の音量に達するまで前記フローを繰り返す。
【００３８】
そして元の音量に達したところフローを終了するもので、ＡＬＡＲＭやＰＴＹ、ＴＡ割り込み、予約番組により切り換えられる場合は、何等人為的な操作をしなくとも自動的に音量が例えば１秒間に４ｄＢづつ上昇し、最終的に予め設定されていた元の音量に達するため、予約時間がきて予約番組になっても、大音量でラジオに切り換ることがないため、ユーザの不快感を軽減できる上、ユーザは何等操作を必要としないため、自動車の運転中にＡＬＡＲＭやＰＴＹ、ＴＡ割り込み、予約番組によりラジオに切り換っても、安全運転に支障をきたすことがない。
【００３９】
【発明の効果】
本発明は以上詳述したように、タイマ機能により番組を予約する番組予約機能を備え、かつ操作手段により番組予約や各種の設定が可能な制御手段と、制御手段により音量調節される音量調節手段とを有し、操作手段による入力ソースの切り換え時には、無音状態に音量調節手段を制御した後、予めユーザが設定した音量で音声が出力されるように音量調節手段を制御すると共に、番組予約や、各種割り込みによる入力ソースの切り換え時には、無音状態に音量調節手段を制御した後、予めユーザが設定した音量になるまで除々に音量が上昇するよう音量調節手段を制御したことから、番組予約や各種割り込みにより入力ソースが切り換っても、大音量の音がスピーカより出力されることがないため、ユーザの不快感を軽減できる上、ユーザは何等操作を必要としないため、自動車の運転中に予約番組に切り換っても、安全運転に支障をきたすことがない。
【図面の簡単な説明】
【図１】本発明の実施の形態になる車載用機器の音量制御装置のブロック図である。
【図２】本発明の実施の形態になる車載用機器の音量制御装置の入力ソースをテレビに切り換えるときの作用を示すフローチャートである。
【図３】本発明の実施の形態になる車載用機器の音量制御装置の入力ソースをラジオに切り換えるときの作用を示すフローチャートである。
【符号の説明】
４      制御手段
６      音声調節手段
７      スピーカ
１０      操作手段
１１      記憶手段
【図１】
2004289611.tif 000003
【図２】
2004289611.tif 000004
【図３】
2004289611.tif 000005